(57)【要約】  累進屈折力レンズ対は、右眼用レンズの処方加入度と左眼用レンズの処方加入度とが等しく、かつ、累進屈折力レンズ対の処方情報において、右眼用レンズの球面度数SRと左眼用レンズの球面度数SLとが異なるか、右眼用レンズの乱視度数CRと左眼用レンズの乱視度数CLとが異なるか、または、右眼用レンズの乱視軸の角度AxLと左眼用レンズの乱視軸の角度AxRとが異なる場合、右眼用レンズにおける物体側面の面加入度をADDR1、眼球側面の面加入度をADDR2とし、左眼用レンズにおける物体側面の面加入度をADDL1、眼球側面の面加入度をADDL2としたとき、右側用レンズ及び左側用レンズは、ADDR1−ADDR2とADDL1−ADDL2とが異なるように、物体側面及び眼球側面が設けられる。
2018079836.tif 000002
【特許請求の範囲】
【請求項１】
遠方視に適した遠用部と、前記遠用部とは異なる位置に配置され近方視に適した屈折力を有する近用部と、前記遠用部および前記近用部の間で屈折力が連続的に変化する累進部とを備えた左右の累進屈折力レンズ対であって、
前記累進屈折力レンズ対のうち、右眼用レンズの処方加入度と左眼用レンズの処方加入度とが等しく、かつ、
前記累進屈折力レンズ対の処方情報において、
前記右眼用レンズの球面度数SRと前記左眼用レンズの球面度数SLとが異なるか、
前記右眼用レンズの乱視度数CRと前記左眼用レンズの乱視度数CLとが異なるか、または、
前記右眼用レンズの乱視軸の角度AxRと前記左眼用レンズの乱視軸の角度AxLとが異なる場合、
前記右眼用レンズにおける物体側面の面加入度をADDR1、眼球側面の面加入度をADDR2とし、
前記左眼用レンズにおける物体側面の面加入度をADDL1、眼球側面の面加入度をADDL2としたとき、
前記右眼用レンズ及び前記左眼用レンズは、ADDR1−ADDR2とADDL1−ADDL2とが異なるように、前記物体側面及び前記眼球側面が設けられる累進屈折力レンズ対。
【請求項２】
請求項１に記載の累進屈折力レンズ対において、
前記右眼用レンズの等価球面度数SR + CR / 2と前記左眼用レンズの等価球面度数SL + CL / 2とが異なる場合、
ADDR1−ADDR2とADDL1−ADDL2とを異ならせた累進屈折力レンズ対。
【請求項３】
請求項１に記載の累進屈折力レンズ対において、
前記右眼用レンズにおける物体側面の遠用ベースカーブをBCRfとし、
前記左眼用レンズにおける物体側面の遠用ベースカーブをBCLfとし、
前記右眼用レンズの球面度数SRと前記左眼用レンズの球面度数SLとが異なるか、または、
前記右眼用レンズの等価球面度数SR + CR / 2と前記左眼用レンズの等価球面度数SL + CL / 2とが異なる場合、
BCRfとBCLfとを異ならせた累進屈折力レンズ対。
【請求項４】
請求項１に記載の累進屈折力レンズ対において、
前記右眼用レンズの球面度数SRと前記左眼用レンズの球面度数SLとについて、
SL < SRのときはADDR1 < ADDL1、
SR < SLのときはADDL1 < ADDR1
の条件を満たす累進屈折力レンズ対。
【請求項５】
請求項２に記載の累進屈折力レンズ対において、
前記右眼用レンズの等価球面度数SR + CR / 2と前記左眼用レンズの等価球面度数SL + CL / 2とについて、
SL + CL / 2 < SR + CR / 2のときはADDR1 < ADDL1、
SR + CR / 2 < SL + CL / 2のときはADDL1 < ADDR1
の条件を満たす累進屈折力レンズ対。
【請求項６】
請求項１から３までのいずれか一項に記載の累進屈折力レンズ対において、
前記右眼用レンズのSVRを、
SVR=SR + CR×(sin(AxR))^2  
とし、
と前記左眼用レンズのSVLを、
SVL=SL + CL×(sin(AxL))^2  
としたとき、
SVL < SVRのときはADDR1 < ADDL1、
SVR < SVLのときはADDL1 < ADDR1
の条件を満たす累進屈折力レンズ対。
【請求項７】
請求項１から６までのいずれか一項に記載の累進屈折力レンズ対において、
単位をディオプタとし、次式（１）
0 <|(ADDR1−ADDR2)−(ADDL1−ADDL2)|≦4・・・（１）
の条件を満たす累進屈折力レンズ対。
【請求項８】
請求項１から７までのいずれか一項に記載の累進屈折力レンズ対において、
前記右眼用レンズの球面度数SRと前記左眼用レンズの球面度数SLとが異なる場合、次式（２）
0 <|(ADDR1−ADDR2)−(ADDL1−ADDL2)| / |SR−SL|≦16・・・（２）
の条件を満たす累進屈折力レンズ対。
【請求項９】
請求項１から７までのいずれか一項に記載の累進屈折力レンズ対において、
前記右眼用レンズの等価球面度数SR + CR / 2と前記左眼用レンズの等価球面度数SL + CL / 2との値が異なる場合、次式（３）
0 <|(ADDR1−ADDR2)−(ADDL1−ADDL2)| / |(SR + CR / 2)−(SL + CL / 2)|≦32・・・（３）
の条件を満たす累進屈折力レンズ対。
【請求項１０】
請求項１から７までのいずれか一項に記載の累進屈折力レンズ対において、
前記右眼用レンズのSVRを、
SVR=SR + CR×(sin(AxR))^2  
とし、
と前記左眼用レンズのSVLを、
SVL=SL + CL×(sin(AxL))^2  
としたとき、
SVRとSVLとが異なり、次式（４）
0<|(ADDR1−ADDR2)−(ADDL1−ADDL2)| / |SVR−SVL|≦16・・・（４）
の条件を満たす累進屈折力レンズ対。
【請求項１１】
請求項１から１０までのいずれか一項に記載の累進屈折力レンズ対において、
前記右眼用レンズの物体側頂点を通り、前記右眼用レンズの光軸に垂直な面上の座標(x,y)における前記右眼用レンズの光軸方向のサグ量をSAG1R(x,y)、
前記左眼用レンズの物体側頂点を通り、前記左眼用レンズの光軸に垂直な面上の座標(x,y)における前記左眼用レンズの光軸方向のサグ量をSAG1L(x,y)としたとき、
前記右眼用レンズがフレーム枠に収まった時に前記右眼用レンズの光軸の位置から上下方向に直線を引いた時のフレーム上端の座標を(xtR, ytR)、フレーム下端の座標を(xbR, ybR)、
前記左眼用レンズがフレーム枠に収まった時にレンズ光軸の位置から上下方向に直線を引いた時のフレーム上端の座標を(xtL, ytL)、フレーム下端の座標を(xbL, ybL)とすると、
単位をミリメートルとして、次式（５）
0≦|(SAG1R(xtR,ytR)−SAG1R(xbR,ybR))−(SAG1L(xtL,ytL)− SAG1L(xbL,ybL))|≦4・・・（５）
の条件を満たす場合、単位をディオプタとして、次式（１）
0 <|(ADDR1−ADDR2)−(ADDL1−ADDL2)|≦4・・・（１）
の条件を満たす累進屈折力レンズ対。
【請求項１２】
請求項１から１０までのいずれか一項に記載の累進屈折力レンズ対において、
前記右眼用レンズの物体側頂点を通り、前記右眼用レンズの光軸に垂直な面上の座標(x,y)における前記右眼用レンズの光軸方向のサグ量をSAG1R(x,y)、
前記左眼用レンズの物体側頂点を通り、前記左眼用レンズの光軸に垂直な面上の座標(x,y)における前記左眼用レンズの光軸方向のサグ量をSAG1L(x,y)としたとき、
前記右眼用レンズがフレーム枠に収まった時に前記右眼用レンズの光軸の位置から上下方向に直線を引いた時のフレーム下端の座標を(xbR, ybR)、
前記左眼用レンズがフレーム枠に収まった時にレンズ光軸の位置から上下方向に直線を引いた時の、フレーム下端の座標を(xbL, ybL)とすると、
単位をミリメートルとして、次式（７）
0≦|SAG1R(xbR,ybR))−SAG1L(xbL,ybL)|≦4・・・（６）
の条件を満たす場合、 単位をディオプタとして、次式（１）
0 <|(ADDR1−ADDR2)−(ADDL1−ADDL2)|≦4・・・（１）
の条件を満たす累進屈折力レンズ対。
【請求項１３】
請求項１から１０までのいずれか一項に記載の累進屈折力レンズ対において、
前記右眼用レンズの物体側頂点を通り、前記右眼用レンズの光軸に垂直な面上の座標(x,y)における前記右眼用レンズの光軸方向のサグ量をSAG1R(x,y)、
前記左眼用レンズの物体側頂点を通り、前記左眼用レンズの光軸に垂直な面上の座標(x,y)における前記左眼用レンズの光軸方向のサグ量をSAG1L(x,y)としたとき、
前記右眼用レンズがフレーム枠に収まった時に前記右眼用レンズの光軸の位置から上下方向に直線を引いた時のフレーム上端の座標を(xtR, ytR)、フレーム下端の座標を(xbR, ybR)、
前記左眼用レンズがフレーム枠に収まった時にレンズ光軸の位置から上下方向に直線を引いた時のフレーム上端の座標を(xtL, ytL)、フレーム下端の座標を(xbL, ybL)とし、
角度θR = atan((SAG1R(xtR,ytR)−SAG1R(xbR,ybR)) / (ytR−ybR))
角度θL = atan((SAG1L(xtL,ytL)−SAG1L(xbL,ybL)) / (ytL−ybL))
とすると、単位を度として、次式（７）
0≦|θR−θL|≦5・・・（７）
の条件を満たす場合、単位をディオプタとして、次式（１）
0<|(ADDR1−ADDR2)−(ADDL1−ADDL2)|≦4・・・（１）
の条件を満たす累進屈折力レンズ対。
【請求項１４】
請求項１から１０までのいずれか一項に記載の累進屈折力レンズ対において、
前記右眼用レンズの物体側頂点を通り、前記右眼用レンズの光軸に垂直な面上の座標(x,y)における前記右眼用レンズの光軸方向のサグ量をSAG1R(x,y)、
前記左眼用レンズの物体側頂点を通り、前記左眼用レンズの光軸に垂直な面上の座標(x,y)における前記左眼用レンズの光軸方向のサグ量をSAG1L(x,y)としたとき、
右眼用フレーム枠の座標(x, y)に対し左眼用フレーム枠で対称になる位置の座標を(x’,y’)とすると、
前記右眼用レンズのサグ量SAG1R(x,y)、前記左眼用レンズのサグ量SAG1L(x’,y’)に対しフレーム周上において、単位をミリメートルとして、次式（８）
0≦|SAG1R(x,y)−SAG1L(x’,y’)|≦4・・・（８）
の条件を満たす場合、単位をディオプタとして、次式（１）
0 <|(ADDR1−ADDR2)−(ADDL1−ADDL2)|≦4・・・（１）
の条件を満たす累進屈折力レンズ対。
【請求項１５】
請求項１から１４までのいずれか一項に記載の累進屈折力レンズ対において、
前記右眼用レンズの偏角量と前記左眼用レンズの偏角量の差を減少させるためにADDR1
−ADDR2とADDL1−ADDL2とを異ならせた累進屈折力レンズ対。
【請求項１６】
遠方視に適した遠用部と、前記遠用部とは異なる位置に配置され近方視に適した屈折力を有する近用部と、前記遠用部および前記近用部の間で屈折力が連続的に変化する累進部とを備えた左右の累進屈折力レンズ対であって、
右眼用レンズにおける遠用参照点を通る透過光線の最大屈折力をDFR_max、最小屈折力をDFR_min、平均屈折力をDFR=( DFR_max+ DFR_min)/2、近用参照点を通る透過光線の最大屈折力をDNR_max、最小屈折力をDNR_min、平均屈折力をDNR=( DNR_max+ DNR_min)/2、遠用参照点と近用参照点での平均屈折力差である装用加入度をADDR=DNR−DFR、インセット角θInsR、外径DRとし、
左眼用レンズにおける遠用参照点を通る透過光線の最大屈折力をDFL_max、最小屈折力をDFL_min、平均屈折力をDFL=( DFL_max+ DFL_min)/2、近用参照点を通る透過光線の最大屈折力をDNL_max、最小屈折力をDNL_min、平均屈折力をDNL=( DNL_max+ DNL_min)/2、遠用参照点と近用参照点での平均屈折力差である装用加入度をADDL=DNL−DFL、インセット角θInsL、外径DLとすると、
前記累進屈折力レンズ対のうち、前記右眼用レンズの装用加入度ADDRと前記左眼用レンズの装用加入度ADDLとが等しく、かつ、
前記右眼用レンズの情報DFR_max、DFR_min、DFR、DNR_max、DNR_min、DNR、ADDR、θInsR、DRのうち少なくとも一つに基づいて算出される比較パラメータと、
前記左眼用レンズの情報DFL_max、DFL_min、DFL、DNL_max、DNL_min、DNL、ADDL、θInsL、DLのうち少なくとも一つに基づいて算出される比較パラメータとの値が異なる場合、
右眼用レンズにおける物体側面の面加入度をADDR1、眼球側面の面加入度をADDR2とし、
左眼用レンズにおける物体側面の面加入度をADDL1、眼球側面の面加入度をADDL2としたとき、
前記右眼用レンズ及び前記左眼用レンズは、ADDR1−ADDR2とADDL1−ADDL2とが異なるように、前記物体側面及び前記眼球側面が設けられる累進屈折力レンズ対。
【請求項１７】
請求項１６に記載の累進屈折力レンズ対において、
前記比較パラメータは、前記累進屈折力レンズ対の装用者の処方球面度数、処方乱視度数、処方された乱視軸の角度、または前記右眼用レンズのSVR若しくは前記右眼用レンズ
のSVLの少なくとも一つであり、
前記右眼用レンズのSVRと前記左眼用レンズのSVLとは、
SVR=SR + CR×(sin(AxR))^2  
SVL=SL + CL×(sin(AxL))^2  
で表される累進屈折力レンズ対。
【請求項１８】
遠方視に適した遠用部と、前記遠用部とは異なる位置に配置され近方視に適した近用部と、前記遠用部および前記近用部の間で屈折力が連続的に変化する累進部とを備えた左右の累進屈折力レンズ対の設計方法であって、
装用者の処方情報を取得することと、
前記累進屈折力レンズ対のうち、右眼用レンズの処方加入度と左眼用レンズの処方加入度とが等しく、かつ、前記累進屈折力レンズ対の処方情報において、
前記右眼用レンズの光学中心における上下方向の度数SVRと前記左眼用レンズの光学中心における上下方向の度数SVLとが異なるか、または、
前記累進屈折力レンズ対の処方情報において、
前記右眼用レンズの球面度数SRと前記左眼用レンズの球面度数SLとが異なるか、
前記右眼用レンズの乱視度数CRと前記左眼用レンズの乱視度数CLとが異なるか、または、
前記右眼用レンズの乱視軸の角度AxRと前記左眼用レンズの乱視軸の角度AxLとが異なる場合、
右眼用レンズにおける物体側面の面加入度をADDR1、眼球側面の面加入度をADDR2とし、
左眼用レンズにおける物体側面の面加入度をADDL1、眼球側面の面加入度をADDL2としたとき、
ADDR1−ADDR2とADDL1−ADDL2とを異ならせるように設計パラメータを設定することと
を含む累進屈折力レンズ対の設計方法。
【請求項１９】
請求項１８に記載の累進屈折力レンズ対の設計方法において、
装用者が、ADDR1−ADDR2の値とADDL1−ADDL2の値とが等しい基準累進屈折力レンズ対を装用して検出した視線情報に基づいて、
(ADDR1−ADDR2)−(ADDL1−ADDL2)の値を設定する累進屈折力レンズ対の設計方法。
【請求項２０】
請求項１８または１９に記載の累進屈折力レンズ対の設計方法において、
装用者が、ADDR1−ADDR2の値とADDL1−ADDL2の値とが等しい基準累進屈折力レンズ対を装用して検出した、前記右眼用レンズと前記左眼用レンズとの近用参照点における物体の見える位置のずれに基づいて、
(ADDR1−ADDR2)−(ADDL1−ADDL2)の値を設定する累進屈折力レンズ対の設計方法。
【請求項２１】
請求項１８から２０までのいずれか一項に記載の累進屈折力レンズ対の設計方法において、
前記設計パラメータの設計において、前記右眼用レンズの偏角量と前記左眼用レンズの偏角量の差を減少させるためにADDR1−ADDR2とADDL1−ADDL2とを異ならせる累進屈折力レンズ対の設計方法。
【請求項２２】
請求項１８から２１までのいずれか一項に記載の設計方法により前記累進屈折力レンズ対を設計することと、
前記設計方法により設計された前記累進屈折力レンズ対を製造することと
を含む累進屈折力レンズ対の製造方法。
【発明の詳細な説明】
【技術分野】
【０００１】
本発明は、累進屈折力レンズ対、累進屈折力レンズ対の設計方法および累進屈折力レンズ対の製造方法に関する。
【背景技術】
【０００２】
累進屈折力レンズ等の眼鏡レンズにおいて、左眼用レンズと右眼用レンズの処方が異なる場合等に発生する、左右の偏角量の差異を抑えるために、例えば、特許文献１のようなスラブオフ加工等が提案されている。しかしながら、スラブオフ加工では、加工の際の処理が増加したり、光学性能の劣化を招く場合があった。
【先行技術文献】
【特許文献】
【０００３】
【特許文献１】日本国特開第２０１２−２１５６４０号
【発明の概要】
【０００４】
本発明の第１の態様によると、累進屈折力レンズ対は、遠方視に適した遠用部と、前記遠用部とは異なる位置に配置され近方視に適した屈折力を有する近用部と、前記遠用部および前記近用部の間で屈折力が連続的に変化する累進部とを備えた左右の累進屈折力レンズ対であって、前記累進屈折力レンズ対のうち、右眼用レンズの処方加入度と左眼用レンズの処方加入度とが等しく、かつ、前記累進屈折力レンズ対の処方情報において、前記右眼用レンズの球面度数SRと前記左眼用レンズの球面度数SLとが異なるか、前記右眼用レンズの乱視度数CRと前記左眼用レンズの乱視度数CLとが異なるか、または、前記右眼用レンズの乱視軸の角度AxRと前記左眼用レンズの乱視軸の角度AxLとが異なる場合、右眼用レンズにおける物体側面の面加入度をADDR1、眼球側面の面加入度をADDR2とし、左眼用レンズにおける物体側面の面加入度をADDL1、眼球側面の面加入度をADDL2としたとき、前記右眼用レンズ及び前記左眼用レンズは、ADDR1−ADDR2とADDL1−ADDL2とが異なるように、前記物体側面及び前記眼球側面が設けられる。
本発明の第２の態様によると、累進屈折力レンズ対は、遠方視に適した遠用部と、前記遠用部とは異なる位置に配置され近方視に適した屈折力を有する近用部と、前記遠用部および前記近用部の間で屈折力が連続的に変化する累進部とを備えた左右の累進屈折力レンズ対であって、右眼用レンズにおける遠用参照点を通る透過光線の最大屈折力をDFR_max、最小屈折力をDFR_min、平均屈折力をDFR=( DFR_max+ DFR_min)/2、近用参照点を通る透過光線の最大屈折力をDNR_max、最小屈折力をDNR_min、平均屈折力をDNR=( DNR_max+ DNR_min)/2、遠用参照点と近用参照点での平均屈折力差である装用加入度をADDR=DNR−DFR、インセット角θInsR、外径DRとし、左眼用レンズにおける遠用参照点を通る透過光線の最大屈折力をDFL_max、最小屈折力をDFL_min、平均屈折力をDFL=( DFL_max+ DFL_min)/2、近用参照点を通る透過光線の最大屈折力をDNL_max、最小屈折力をDNL_min、平均屈折力をDNL=( DNL_max+ DNL_min)/2、遠用参照点と近用参照点での平均屈折力差である装用加入度をADDL=DNL−DFL、インセット角θInsL、外径DLとすると、前記累進屈折力レンズ対のうち、前記右眼用レンズの装用加入度ADDRと前記左眼用レンズの装用加入度ADDLとが等しく、かつ、前記右眼用レンズの情報DFR_max、DFR_min、DFR、DNR_max、DNR_min、DNR、ADDR、θInsR、DRのうち少なくとも一つに基づいて算出される比較パラメータと、前記左眼用レンズの情報DFL_max、DFL_min、DFL、DNL_max、DNL_min、DNL、ADDL、θInsL、DLのうち少なくとも一つに基づいて算出される比較パラメータとの値が異なる場合、右眼用レンズにおける物体側面の面加入度をADDR1、眼球側面の面加入度をADDR2とし、左眼用レンズにおける物体側面の面加入度をADDL1、眼球側面の面加入度をADDL2としたとき、前記右眼用レンズ及び前記左眼用レンズは、ADDR1−ADDR2とADDL1−ADDL2とが異なるように、前記物体側面及び前記眼球側面が設けられる。
本発明の第３の態様によると、累進屈折力レンズ対の設計方法は、遠方視に適した遠用部と、前記遠用部とは異なる位置に配置され近方視に適した近用部と、前記遠用部および前記近用部の間で屈折力が連続的に変化する累進部とを備えた左右の累進屈折力レンズ対の設計方法であって、装用者の処方情報を取得することと、前記累進屈折力レンズ対のうち、右眼用レンズの処方加入度と左眼用レンズの処方加入度とが等しく、かつ、前記累進屈折力レンズ対の処方情報において、前記右眼用レンズの光学中心における上下方向の度数SVRと前記左眼用レンズの光学中心における上下方向の度数SVLとが異なるか、または、前記累進屈折力レンズ対の処方情報において、前記右眼用レンズの球面度数SRと前記左眼用レンズの球面度数SLとが異なるか、前記右眼用レンズの乱視度数CRと前記左眼用レンズの乱視度数CLとが異なるか、または、前記右眼用レンズの乱視軸の角度AxRと前記左眼用レンズの乱視軸の角度AxLとが異なる場合、右眼用レンズにおける物体側面の面加入度をADDR1、眼球側面の面加入度をADDR2とし、左眼用レンズにおける物体側面の面加入度をADDL1、眼球側面の面加入度をADDL2としたとき、ADDR1−ADDR2とADDL1−ADDL2とを異ならせるように設計パラメータを設定することとを含む。
本発明の第４の態様によると、累進屈折力レンズ対の製造方法は、第３の態様の設計方法により前記累進屈折力レンズ対を設計することと、前記設計方法により設計された前記累進屈折力レンズ対を製造することとを含む。
【図面の簡単な説明】
【０００５】
【図１】図１（ａ）は一実施形態の累進屈折力レンズ対を示す模式図であり、図１（ｂ）は累進屈折力レンズを示す模式図である。
【図２】角膜頂点間距離を説明するための概念図である。
【図３】サグ量を説明するための概念図である。
【図４】累進屈折力レンズ対上の座標点を示す概念図である。
【図５】累進屈折力レンズの上下方向の傾斜角度を説明するための概念図である。
【図６】図６（ａ）は、従来の累進屈折力レンズ対における偏角量を説明するための図であり、図６（ｂ）は一実施形態の累進屈折力レンズ対における偏角量の補正を説明するための概念図である。
【図７】累進屈折力レンズ対の製造システムの構成を示す図である。
【図８】累進屈折力レンズ対の製造方法の流れを示すフローチャートである。
【図９】視線の上下方向のズレ量を検出する方法を説明するための概念図である。
【発明を実施するための形態】
【０００６】
以下では、適宜図面を参照しながら、一実施形態の累進屈折力レンズ対、累進屈折力レンズ対の設計方法、累進屈折力レンズ対の製造方法等について説明する。本実施形態において、左眼用レンズの球面度数、乱視度数および乱視軸の角度の値をそれぞれSL、CL、AxLとし、右眼用レンズの球面度数、乱視度数および乱視軸の角度の値をそれぞれSR、CR、AxRとする。
【０００７】
以下の記載において、屈折力の単位は、特に言及しない場合にはディオプター（Ｄ）によって表されるものとする。また、以下の説明において、累進屈折力レンズの「上部」、「下部」等と表記する場合は、当該累進屈折力レンズが眼鏡用に加工される場合において眼鏡を装用したときのレンズの位置関係に基づくものとする。好ましくは、上下方向は、鉛直方向に一致する。以下の各図面において、レンズの上下の位置関係は、紙面における上下の位置関係と一致する。
【０００８】
図１（ａ）は本実施形態の累進屈折力レンズ対１を模式的に例示した図である。累進屈折力レンズ対１は、左眼用レンズ１０Ｌと、右眼用レンズ１０Ｒとの２つの累進屈折力レンズ１０を備える。累進屈折力レンズ１０は、遠方視に適した遠用部Ｆと、遠用部Ｆとは異なる位置に配置され近方視に適した屈折力を有する近用部Ｎと、遠用部Ｆおよび近用部Ｎの間で屈折力が連続的に変化する累進部Ｐとを備える。
なお、遠用部Ｆに適した視距離は、近用部Ｎで適した視距離よりも全体的に長い距離であれば、特に限定されない。
【０００９】
図１（ｂ）は累進屈折力レンズ１０の構成を説明するため、右眼用レンズ１０Ｒを例に累進屈折力レンズ１０を示した図である。以下の実施形態では、特に指定の無い限り、両眼のレンズに関し図に示した座標軸のように、Ｙ軸を累進屈折力レンズ１０の上下方向に、Ｘ軸を耳側から鼻側に、Ｚ軸を累進屈折力レンズ１０の光軸に平行にとる。図１（ｂ）では、累進屈折力レンズ１０は、右眼用レンズ１０Ｒの形状を示している。図１（ｂ）では、累進屈折力レンズ１０は、眼鏡用フレームの形状に合わせてレンズを加工する前の状態（玉摺り加工前の状態）になっており、平面視で円形に形成されている。累進屈折力レンズ１０は、図中上側が装用時において上方に配置されることとなり、図中下側が装用時において下方に配置されることとなる。累進屈折力レンズ１０は、遠用部Ｆと、近用部Ｎと、中間部Ｐとを有している。
【００１０】
遠用部Ｆは、累進屈折力レンズ１０の上部に配置されており、累進屈折力レンズ１０が眼鏡用に加工された後には遠方視に適した屈折力を有する部分となる。近用部Ｎは、累進屈折力レンズ１０の下部に配置されており、累進屈折力レンズ１０が眼鏡用に加工された後には近方視に適した屈折力を有する部分となる。累進部Ｐは、累進屈折力レンズ１０のうち遠用部Ｆと近用部Ｎの中間に配置されており、遠用部Ｆと近用部Ｎとの間の屈折力を連続的に滑らかに変化させて接続する部分である。
【００１１】
累進屈折力レンズ１０は、複数の参照点を有している。このような参照点として、例えば、図１（ｂ）に示すように、光学中心１１（または右眼用レンズの光学中心１１Ｒ）、遠用参照点ＦＶ、近用参照点ＮＶ等が挙げられる。光学中心１１は、設計上の中心となる参照点である。遠用参照点ＦＶは、レンズの遠用度数を測定する測定参照点となる。近用参照点ＮＶは、近用部Ｎにおいてレンズの近用度数を測定する測定参照点となる。
【００１２】
本実施形態では、累進屈折力レンズ１０で測定される物体側面および眼球側面のそれぞれの近用参照点ＮＶの面平均屈折力から遠用参照点ＦＶの面平均屈折力を引いた値を「面加入度」と表記する。これに対して、処方値で指定される加入度を「処方加入度」、レンズの近用参照点ＮＶを通る透過光線の平均屈折力から遠用参照点ＦＶを通る透過光線の平均屈折力を引いた値を「装用加入度」と表記する。
【００１３】
右眼用レンズ１０Ｒの玉摺り加工前の外径DRは、円形に形成されている右眼用レンズ１０Ｒの直径に相当する。同様に、左眼用レンズ１０Ｌについても、不図示の玉摺り加工前の外径DLは、円形に形成されている左眼用レンズ１０Ｌの直径に相当する。
【００１４】
図１（ｂ）において、右眼用レンズ１０Ｒ上に設計基準線Ｌが示されている。設計基準線Ｌは、右眼用レンズ１０Ｒの上端から遠用参照点ＦＶを通って光学中心１１Ｒまでの線分Ｌ１と、光学中心１１から近用参照点ＮＶを通る線分Ｌ２とを含んで構成される。インセット角θinsRは、光学中心１１を通り上下方向に伸びる軸Ａから線分Ｌ２までの角度で定義される。同様に、左眼用レンズ１０Ｌについても、インセット角θinsLは、光学中心１１を通り上下方向に伸びる軸Ａから線分Ｌ２までの角度で定義される。
【００１５】
本実施形態の累進屈折力レンズ対１は、右眼用レンズ１０Ｒの処方加入度と左眼用レンズ１０Ｌの処方加入度とが等しい装用者に提供される累進屈折力レンズ対１である。また累進屈折力レンズ対１は、右眼用レンズ１０Ｒの物体側面の面加入度ADDR1から眼球側面の面加入度ADDR2を引いた差ADDR1-ADDR2と、左眼用レンズ１０Ｌの物体側面の面加入度ADDL1から眼球側面の面加入度ADDL2を引いた差ADDL1-ADDL2が異なる値となるものである。
【００１６】
以下の実施形態では、与えられた処方加入度になるように１枚のレンズの物体側面の面加入度と眼球側面との面加入度を設定することを、加入度の配分と呼ぶ。また、物体側面の面加入度から眼球側面の面加入度を引いた差を配分パラメータと呼ぶ。
【００１７】
上述のように、左眼用レンズ１０Ｌと右眼用レンズ１０Ｒとにおける面加入度の配分を異ならせることで、左眼用レンズ１０Ｌと右眼用レンズ１０Ｒとで面加入度の配分が等しい場合と比べ、設計に自由度が生まれる。これにより、収差等の光学特性をより適切に設定することができ、特に偏角量、とりわけ累進屈折力レンズ１０の上下方向等の偏角量を好適に調整することができる。
【００１８】
なお、上記では左右それぞれの累進屈折力レンズ１０における加入度の配分の方法として、物体側面の面加入度から眼球側面の面加入度を引いた差を異ならせる構成にしたが、物体側面の面加入度と眼球側面の面加入度との比を異ならせる構成にしてもよい。左右の加入度の配分を異ならせるのであれば、基準となる配分パラメータは特に限定されない。
【００１９】
累進屈折用レンズ対１は、右眼用レンズ１０Ｒの処方加入度と左眼用レンズ１０Ｌとの処方加入度が等しく、かつ、処方加入度以外の処方値に関して左眼用レンズ１０Ｌと右眼用レンズ１０Ｒとで差異がある場合に左眼用レンズ１０Ｌの加入度の配分と右眼用レンズ１０Ｒの加入度の配分を異ならせることができる。
【００２０】
累進屈折力レンズ対１は、右眼用レンズ１０Ｒの処方加入度と左眼用レンズ１０Ｌの処方加入度とが等しく、かつ、右眼用レンズ１０Ｒの球面度数SRと左眼用レンズ１０Ｌの球面度数SLとが異なる場合、右眼用レンズ１０Ｒの配分パラメータADDR1−ADDR2と左眼用レンズの配分パラメータADDL1−ADDL2とを異ならせたものとすることができる。これにより、球面度数の違いから生じる左右のレンズの光学特性の差異、特に偏角量を良好に補正することができる。
【００２１】
累進屈折力レンズ対１は、右眼用レンズ１０Ｒの処方加入度と左眼用レンズ１０Ｌの処方加入度とが等しく、かつ、右眼用レンズ１０Ｒの乱視度数CRと左眼用レンズ１０Ｌの乱視度数CLとが異なる場合、右眼用レンズ１０Ｒの配分パラメータADDR1−ADDR2と左眼用レンズの配分パラメータADDL1−ADDL2とを異ならせたものとすることができる。これにより、乱視度数の違いから生じる左右のレンズの光学特性の差異、特に偏角量を良好に補正することができる。
【００２２】
また、右眼用レンズ１０Ｒの球面度数SRと左眼用レンズ１０Ｌの球面度数SLとについて、
SL < SRのときはADDR1 < ADDL1、
SR < SLのときはADDL1 < ADDR1
の条件を満たすことが好ましい。これにより、球面度数の違いから生じる左右のレンズの光学特性の差異、特に偏角量（プリズム量とも呼ぶ）の左右のズレをさらに良好に補正することができる。
【００２３】
累進屈折力レンズ対１は、右眼用レンズ１０Ｒの処方加入度と左眼用レンズ１０Ｌの処方加入度とが等しく、かつ、右眼用レンズ１０Ｒの等価球面度数SR + CR / 2と左眼用レンズ１０Ｌの等価球面度数SL + CL / 2とが異なる場合、右眼用レンズ１０Ｒの配分パラメータADDR1−ADDR2と左眼用レンズ１０Ｌの配分パラメータADDL1−ADDL2とを異ならせたものとすることができる。これにより、等価球面度数の違いから生じる左右のレンズの光学特性の差異、特に偏角量の左右のズレを良好に補正することができる。
【００２４】
また、右眼用レンズ１０Ｒの等価球面度数SR + CR / 2と左眼用レンズ１０Ｌの等価球面度数SL + CL / 2とについて、
SL + CL / 2 < SR + CR / 2のときはADDR1 < ADDL1、
SR + CR / 2 < SL + CL / 2のときはADDL1 < ADDR1
の条件を満たすことが好ましい。これにより、等価球面度数の違いから生じる左右のレンズの光学特性の差異、特に偏角量の左右のズレを良好に補正することができる。
【００２５】
累進屈折力レンズ対１は、右眼用レンズ１０Ｒの処方加入度と左眼用レンズ１０Ｌの処方加入度とが等しく、かつ、右眼用レンズ１０Ｒの乱視軸の角度AxRと左眼用レンズ１０Ｌの乱視軸の角度AxLとが異なる場合、右眼用レンズ１０Ｒの配分パラメータ  ADDR1−ADDR2と左眼用レンズ１０Ｌの配分パラメータADDL1−ADDL2とを異ならせたものとすることができる。これにより、乱視軸の角度の違いから生じる左右のレンズの光学特性の差異、特に偏角量の左右のズレを良好に補正することができる。
【００２６】
累進屈折力レンズ対１は、右眼用レンズ１０Ｒの処方加入度と左眼用レンズ１０Ｌの処方加入度とが等しく、かつ、右眼用レンズ１０Ｒの外径DRと左眼用レンズ１０Ｌの外径DLとが異なる場合、右眼用レンズ１０Ｒの配分パラメータ  ADDR1−ADDR2と左眼用レンズ１０Ｌの配分パラメータADDL1−ADDL2とを異ならせたものとすることができる。これにより、玉摺り加工前の外径の違いから生じる左右のレンズの光学特性の差異、特に偏角量の左右のズレを良好に補正することができる。
【００２７】
累進屈折力レンズ対１は、右眼用レンズ１０Ｒの処方加入度と左眼用レンズ１０Ｌの処方加入度とが等しく、かつ、右眼用レンズ１０Ｒのインセット角θinsRと左眼用レンズ１０Ｌのインセット角θinsLとが異なる場合、右眼用レンズ１０Ｒの配分パラメータ  ADDR1−ADDR2と左眼用レンズ１０Ｌの配分パラメータADDL1−ADDL2とを異ならせたものとすることができる。これにより、インセット角の違いから生じる左右のレンズの光学特性の差異、特に偏角量の左右のズレを良好に補正することができる。
【００２８】
図２は、角膜頂点間距離VDを説明するための図である。眼球２０の角膜２１の前方に、累進屈折力レンズ１０が配置されている。角膜頂点間距離VDは、角膜頂点と、累進屈折力レンズ１０の眼球側面までの距離VDを指す。以下の実施形態では、右眼用レンズ１０Ｒについての角膜頂点間距離をVDR、左眼用レンズ１０Ｌの角膜頂点間距離をVDLと呼ぶ。
【００２９】
累進屈折力レンズ対１は、右眼用レンズ１０Ｒの処方加入度と左眼用レンズ１０Ｌの処方加入度とが等しく、かつ、右眼用レンズ１０Ｒの角膜頂点間距離VDRと左眼用レンズ１０Ｌの角膜頂点間距離VDLとが異なる場合、右眼用レンズ１０Ｒの配分パラメータADDR1−ADDR2と左眼用レンズ１０Ｌの配分パラメータADDL1−ADDL2とを異ならせたものとすることができる。これにより、角膜頂点間距離VDの違いから生じる左右のレンズの光学特性の差異、特に偏角量の左右のズレを良好に補正することができる。
【００３０】
累進屈折力レンズ対１は、右眼用レンズ１０Ｒの上下方向の屈折力の指標SVRを、
SVR=SR + CR×(sin(AxR))^2  
とし、
左眼用レンズ１０Ｌの上下方向の屈折力の指標SVLを、
SVL=SL + CL×(sin(AxL))^2  
としたとき、
SVL < SVRのときはADDR1 < ADDL1、
SVR < SVLのときはADDL1 < ADDR1
の条件を満たすことが好ましい。これにより、眼鏡の上下方向の屈折力の違いから生じる左右のレンズの光学特性の差異、特に偏角量の左右のズレを良好に補正することができる。
【００３１】
累進屈折力レンズ対１は、単位をディオプタとし、右眼用レンズ１０Ｒの加入度の配分と左眼用レンズ１０Ｌの加入度の配分を、次式（１）
0 <|(ADDR1−ADDR2)−(ADDL1−ADDL2)|≦4・・・（１）
の条件を満たすように異ならせたものであることが好ましい。これにより、左眼用レンズと右眼用レンズとで加入度の配分が著しく異なることが原因で起きる、見栄えの悪さや当該累進屈折力レンズ１０への順応の難しさを防ぐことができる。また、同様の観点から、上記（１）式の最右辺のパラメータの値は、3以下であることがより好ましく、2以下であることがさらに好ましい。
【００３２】
累進屈折力レンズ対１は、右眼用レンズ１０Ｒの球面度数SRと左眼用レンズ１０Ｌの球面度数SLとが異なる場合、次式（２）
0 <|(ADDR1−ADDR2)−(ADDL1−ADDL2)| / |SR−SL|≦16・・・（２）
の条件を満たすことが好ましい。これにより、左右の球面度数の差異の程度により許容される加入度の配分の差の変化を考慮しながら、見栄えの悪さや当該累進屈折力レンズ１０への順応の難しさを防ぐことができる。また、同様の観点から、上記（２）式の最右辺のパラメータの値は、12以下であることがより好ましく、8以下であることがさらに好ましい。
【００３３】
累進屈折力レンズ対１は、右眼用レンズ１０Ｒの等価球面度数SR + CR / 2と左眼用レンズ１０Ｌの等価球面度数SL + CL / 2との値が異なる場合、次式（３）
0 <|(ADDR1−ADDR2)−(ADDL1−ADDL2)| / |(SR + CR / 2)−(SL + CL / 2)|≦32・・・（３）
の条件を満たすことが好ましい。これにより、左右の等価球面度数の差異の程度により許容される加入度の配分の差の変化を考慮しながら、見栄えの悪さや当該累進屈折力レンズ１０への順応の難しさを防ぐことができる。また、同様の観点から、上記（３）式の最右辺のパラメータの値は、24以下であることがより好ましく、16以下であることがさらに好ましい。
【００３４】
累進屈折力レンズ対１は、SVRとSVLとが異なり、次式（４）
0<|(ADDR1−ADDR2)−(ADDL1−ADDL2)| / |SVR−SVL|≦16・・・（４）
の条件を満たす。これにより、左右の累進屈折レンズ１０の上下方向の屈折力の違いにより許容される加入度の配分の差の変化を考慮しながら、見栄えの悪さや当該累進屈折力レンズ１０への順応の難しさを防ぐことができる。また、同様の観点から、上記（４）式の最右辺のパラメータの値は、12以下であることがより好ましく8以下であることがさらに好ましい。
【００３５】
累進屈折力レンズ対１は、設計の際、光軸方向のサグ量が大きくなると考えられるレンズに対して、左眼用レンズ１０Ｌと右眼用レンズ１０Ｒとの加入度の配分を異ならせるようにして、調整しつつ設計することができる。
【００３６】
図３は、サグ量を説明するための図である。右眼用レンズ１０Ｒの物体側頂点を点Oとする。物体側頂点は、レンズの光学中心を通る光軸とレンズの物体側面との交点である。点Oを通り物体側面の光軸１３Ｒに垂直な平面Sの上にX-Y座標系を設定し、各点(x,y)の位置での平面Sから物体側面までの光軸方向に沿った距離をサグ量SAG1R(x,y)とする。左眼用レンズ１０Ｌにおいても、同様にサグ量SAG1L(x,y)を定義する。
【００３７】
図４は、累進屈折力レンズ対１における座標点を示した図である。右眼用レンズ１０Ｒの光学中心１１Ｒから、上下方向に直線を引いた場合の当該直線とフレームとの交点のうち、光学中心の上側にある点をTR(xtR,ytR)とし、光学中心の下側にある点をBR(xbR,ybR)とする。左眼用レンズ１０Ｌの光学中心１１Ｌから、上下方向に直線を引いた場合の当該直線とフレームとの交点のうち、光学中心の上側にある点をTL(xtL,ytL)とし、光学中心の下側にある点をBL(xbL,ybL)とする。
【００３８】
累進屈折力レンズ対１において、右眼用レンズ１０Ｒの物体側頂点を通り、右眼用レンズ１０Ｒの光軸に垂直な面上の座標(x,y)における右眼用レンズ１０Ｒの光軸方向のサグ量をSAG1R(x,y)、左眼用レンズ１０Ｌの物体側頂点を通り、左眼用レンズ１０Ｌの光軸に垂直な面上の座標(x,y)における左眼用レンズ１０Ｌの光軸方向のサグ量をSAG1L(x,y)としたとき、右眼用レンズ１０Ｒがフレーム枠に収まった時に右眼用レンズ１０Ｒの光軸の位置から上下方向に直線を引いた時のフレーム上端の座標を(xtR, ytR)、フレーム下端の座標を(xbR, ybR)、左眼用レンズ１０Ｌがフレーム枠に収まった時にレンズ光軸の位置から上下方向に直線を引いた時のフレーム上端の座標を(xtL, ytL)、フレーム下端の座標を(xbL, ybL)とすると、単位をミリメートルとして、次式（５）
0≦|(SAG1R(xtR,ytR)−SAG1R(xbR,ybR))−(SAG1L(xtL,ytL)− SAG1L(xbL,ybL))|≦4・・
・（５）
の条件を満たす場合、単位をディオプタとして、次式（１）
0 <|(ADDR1−ADDR2)−(ADDL1−ADDL2)|≦4・・・（１）
の条件を満たす。これにより、光軸の傾きのずれや、左右のレンズにおけるフレームの上端および下端でのサグ量の差の違いから生じる左右のレンズの光学特性の差異、特に偏角量の左右のズレを良好に補正することができる。
【００３９】
累進屈折力レンズ対１において、右眼用レンズ１０Ｒの物体側頂点を通り、右眼用レンズ１０Ｒの光軸に垂直な面上の座標(x,y)における右眼用レンズ１０Ｒの光軸方向のサグ量をSAG1R(x,y)、左眼用レンズ１０Ｌの物体側頂点を通り、左眼用レンズ１０Ｌの光軸に垂直な面上の座標(x,y)における左眼用レンズの光軸方向のサグ量をSAG1L(x,y)としたとき、右眼用レンズ１０Ｒがフレーム枠に収まった時に右眼用レンズ１０Ｒの光軸の位置から上下方向に直線を引いた時のフレーム上端の座標を(xtR, ytR)、フレーム下端の座標を(xbR, ybR)、
前記左眼用レンズがフレーム枠に収まった時にレンズ光軸の位置から上下方向に直線を引いた時のフレーム上端の座標を(xtL, ytL)、フレーム下端の座標を(xbL, ybL)とすると、
単位をミリメートルとして、次式（６）
0≦|SAG1R(xbR,ybR))−SAG1L(xbL,ybL)|≦4・・・（６）
の条件を満たす場合、 単位をディオプタとして、次式（１）
0 <|(ADDR1−ADDR2)−(ADDL1−ADDL2)|≦4・・・（１）
の条件を満たす。これにより、光軸の傾きのずれや、左右のレンズにおけるフレームの下端でのサグ量の違いから生じる左右のレンズの光学特性の差異、特に偏角量の左右のズレを良好に補正することができる。
【００４０】
図５は、右眼用レンズ１０Ｒの傾斜角度θＲを説明するための図である。右眼用レンズ１０Ｒの物体面側における上端と下端を繋げた直線が、光軸に対し垂直な面となす角度を傾斜角度θＲとする。同様に、左眼用レンズ１０Ｌの物体面側における上端と下端を繋げた直線が、光軸に対し垂直な面となす角度を傾斜角度θＬとする。
【００４１】
累進屈折力レンズ対１において、右眼用レンズ１０Ｒの物体側頂点を通り、右眼用レンズ１０Ｒの光軸に垂直な面上の座標(x,y)における右眼用レンズ１０Ｒの光軸方向のサグ量をSAG1R(x,y)、左眼用レンズ１０Ｌの物体側頂点を通り、左眼用レンズ１０Ｌの光軸に垂直な面上の座標(x,y)における左眼用レンズ１０Ｌの光軸方向のサグ量をSAG1L(x,y)としたとき、右眼用レンズ１０Ｒがフレーム枠に収まった時に右眼用レンズ１０Ｒの光軸の位置から上下方向に直線を引いた時のフレーム上端の座標を(xtR, ytR)、フレーム下端の座標を(xbR, ybR)、左眼用レンズ１０Ｌがフレーム枠に収まった時にレンズ光軸の位置から上下方向に直線を引いた時のフレーム上端の座標を(xtL, ytL)、フレーム下端の座標を(xbL, ybL)とし、
角度θR = atan((SAG1R(xtR,ytR)−SAG1R(xbR,ybR)) / (ytR−ybR))
角度θL = atan((SAG1L(xtL,ytL)−SAG1L(xbL,ybL)) / (ytL−ybL))
とすると、単位を度として、次式（７）
0≦|θR−θL|≦5・・・（７）
の条件を満たす場合、単位をディオプタとして、次式（１）
0<|(ADDR1−ADDR2)−(ADDL1−ADDL2)|≦4・・・（１）
の条件を満たす。これにより、光軸の傾きのずれや、左右のレンズにおけるフレームの上下方向の傾きの違いから生じる左右のレンズの光学特性の差異、特に偏角量の左右のズレを良好に補正することができる。
【００４２】
累進屈折力レンズ対１において、右眼用レンズ１０Ｒの物体側頂点を通り、右眼用レンズ１０Ｒの光軸に垂直な面上の座標(x,y)における右眼用レンズ１０Ｒの光軸方向のサグ量をSAG1R(x,y)、左眼用レンズ１０Ｌの物体側頂点を通り、左眼用レンズ１０Ｌの光軸に垂直な面上の座標(x,y)における左眼用レンズ１０Ｌの光軸方向のサグ量をSAG1L(x,y)としたとき、右眼用フレーム枠の座標(x, y)に対し左眼用フレーム枠で対称になる位置の座標を(x’,y’)とすると、
右眼用レンズ１０Ｒのサグ量SAG1R(x,y)、左眼用レンズ１０Ｌのサグ量SAG1L(x’,y’)に対しフレーム周上において、単位をミリメートルとして、次式（８）
0≦|SAG1R(x,y)−SAG1L(x’,y’)|≦4・・・（８）
の条件を満たす場合、単位をディオプタとして、次式（１）
0 <|(ADDR1−ADDR2)−(ADDL1−ADDL2)|≦4・・・（１）
の条件を満たす。これにより、光軸の傾きのずれや、左右のレンズにおけるフレーム枠上におけるサグ量の違いから生じる左右のレンズの光学特性の差異、特に偏角量の左右のズレを良好に補正することができる。
【００４３】
図６は、本実施形態の累進屈折力レンズ対１における偏角量の調整を説明するための図である。図６（ａ）は、従来の累進屈折力レンズ対１における左眼用レンズ９０Ｌと右眼用レンズ９０Ｒとの偏角量を説明するための図である。左眼の眼球回旋中心点Ｅへと向かう光ＩＬは、従来の左眼用レンズ９０Ｌに入射面においてθ１の角度で入射し、従来の左眼用レンズ９０Ｌにより屈折されて眼球回旋中心点Ｅへと向かう。一方、右眼の眼球回旋中心点Ｅへと向かう光ＩＲは、従来の右眼用レンズ９０Ｒに入射面θ２の角度で入射し、従来の右眼用レンズ１０Ｒで屈折されて眼球回旋中心点Ｅへと向かう。従来の累進屈折力レンズにおいて、上下方向の偏角量は、角度θ２とθ１との差Δθ１に相当する。
【００４４】
図６（ｂ）は、本実施形態の累進屈折力レンズ対１により偏角量が改善された点を示す図である。図６（ｂ）では、説明の簡略化のため右眼用レンズ１０Ｒのみが従来品と異なるとして説明する。破線で示された従来品の右眼用レンズ９０Ｒに対し、右眼用レンズ１０Ｒは物体側面と眼球側面での加入度の配分が調整され、従来品とは異なり角度θ３で右眼用レンズ１０Ｒに入射した光ＩＲが眼球回旋中心点Ｅに向かうようになっている。従って、累進屈折力レンズ対１の上下方向の偏角量の左右のズレは、角度θ３とθ１との差Δθ２に相当し、Δθ２はΔθ１よりも小さくなっている。
【００４５】
このように、累進屈折力レンズ対１および累進屈折力レンズ対１の設計方法は、右眼用レンズ１０Ｒの偏角量と左眼用レンズ１０Ｌの偏角量との差を減少させるために右眼用レンズ１０Ｒの配分パラメータADDR1−ADDR2と左眼用レンズ１０Ｌの配分パラメータADDL1−ADDL2とを異ならせている。
【００４６】
また、累進屈折力レンズ対１は、右眼用レンズ１０Ｒにおける遠用参照点ＦＶを通る透過光線の最大屈折力をDFR_max、最小屈折力をDFR_min、平均屈折力をDFR=( DFR_max+ DFR_min)/2、近用参照点ＮＶを通る透過光線の最大屈折力をDNR_max、最小屈折力をDNR_min、平均屈折力をDNR=( DNR_max+ DNR_min)/2、遠用参照点ＦＶと近用参照点ＮＶでの平均屈折力差である装用加入度をADDR=DNR−DFR、インセット角θInsR、外径DRとし、
左眼用レンズ１０Ｌにおける遠用参照点ＦＶを通る透過光線の最大屈折力をDFL_max、最小屈折力をDFL_min、平均屈折力をDFL=( DFL_max+ DFL_min)/2、近用参照点ＮＶを通る透過光線の最大屈折力をDNL_max、最小屈折力をDNL_min、平均屈折力をDNL=( DNL_max+ DNL_min)/2、遠用参照点ＦＶと近用参照点ＮＶでの平均屈折力差である装用加入度をADDL=DNL−DFL、インセット角θInsL、外径DLとすると、累進屈折力レンズ対１のうち、右眼用レンズ１０Ｒの装用加入度ADDRと左眼用レンズ１０Ｌの装用加入度ADDLとが等しく、かつ、右眼用レンズ１０Ｒの情報DFR_max、DFR_min、DFR、DNR_max、DNR_min、DNR、ADDR、θInsR、DRのうち少なくとも一つに基づいて算出される比較パラメータと、左眼用レンズ１０Ｌの情報DFL_max、DFL_min、DFL、DNL_max、DNL_min、DNL、ADDL、θInsL、DLのうち少なくとも一つに基づいて算出される比較パラメータとの値が異なる場合、右眼用レンズ１０Ｒにおける物体側面の面加入度をADDR1、眼球側面の面加入度をADDR2とし、左眼用レンズ１０Ｌにおける物体側面の面加入度をADDL1、眼球側面の面加入度をADDL2としたとき、ADDR1−ADDR2とADDL1−ADDL2とを異ならせたものとなっている。これにより、加入度以外の点において、左眼用レンズ１０Ｌと右眼用レンズ１０Ｒで非対称であったり、異なる点がある場合に生じる左右のレンズの光学特性の差異、特に偏角量の左右のズレを良好に補正することができる。
【００４７】
累進屈折力レンズ対１において、上記比較パラメータは、累進屈折力レンズ対１の装用者の処方球面度数、処方乱視度数、処方された乱視軸の角度、または右眼用レンズ１０ＲのSVR若しくは左眼用レンズ１０ＬのSVLの少なくとも一つであり、右眼用レンズ１０ＲのSVRと左眼用レンズ１０ＬのSVLとは、
SVR=SR + CR×(sin(AxR))^2  
SVL=SL + CL×(sin(AxL))^2  
で表される。これにより、両眼の処方球面度数、処方乱視度数、処方された乱視軸の角度、または処方された上下方向の度数等の違いから生じる左右のレンズの光学特性の差異、特に偏角量の左右のズレを良好に補正することができる。
【００４８】
図７は本実施形態の累進屈折力レンズ対１を製造する累進屈折力レンズ対の製造システム８０を示す図である。累進屈折力レンズ対１の製造システム８０は、設計装置５０と、加工機制御装置７１と、眼鏡レンズ加工機７２とを備える。設計装置５０は、入力部５１と、表示部５２と、通信部５３と、記憶部５４と、制御部６０とを備える。制御部６０は、判定部６１と、眼鏡レンズ設計部６２とを備える。図中の矢印は、眼鏡レンズ設計データの流れを示す。
【００４９】
入力部５１は、キーボード等の入力装置を含んで構成され、後述の制御部６０での処理に必要な装用者処方データ等の入力データ等の入力を受け付ける。入力部５１は、入力データを制御部６０に出力すると共に、後述の記憶部５４に出力して記憶させたりする。
なお、後述の通信部５３が入力データを受信し、制御部６０に出力する構成にすることもできる。
【００５０】
表示部５２は、液晶モニタ等の画像等を表示可能な装置を含んで構成され、入力された処方データ等の各種数値や、累進屈折力レンズ対１の設計データ等を表示する。通信部５３は、インターネット等により通信可能な通信装置を含んで構成され、制御部６０の処理により得られた累進屈折力レンズ対１の設計データを送信したり、適宜必要なデータを送受信する。
【００５１】
記憶部５４は、メモリやハードディスク等の不揮発性の記憶媒体で構成され、制御部６０とデータを授受し、入力部５１が受け付けた入力データや制御部６０の処理により得られた累進屈折力レンズ対１の設計データ等の各種データを記憶する。
【００５２】
制御部６０は、ＣＰＵ等の処理装置を含んで構成され、設計装置５０を制御する動作の主体として機能し、記憶部５４または制御部６０に配置された不揮発性メモリに搭載されているプログラムを実行することにより、処方値の解析や、設計処理を含む各種処理を行う。
【００５３】
判定部６１は、装用者の処方値に関し、右眼用レンズ１０Ｒの処方加入度と左眼用レンズ１０Ｌの処方加入度が等しいかや、処方加入度以外の処方値が左眼用レンズ１０Ｌと右眼用レンズ１０Ｒとで異なるかを判定する。眼鏡レンズ設計部６２は、入力部５１から入力された処方データおよび判定部６１の判定結果等に基づいて、設計パラメータを設定する。設計パラメータとは、右眼用レンズ１０Ｒおよび左眼用レンズ１０Ｌの物体側面および眼球側面の面加入度や、レンズ面上の複数の点での目標収差等である。眼鏡レンズ設計部６２は、設計パラメータに基づいて、最適化設計により累進屈折力レンズ対１全体の形状を設計する。
【００５４】
加工機制御装置７１は、設計装置５０から送信された累進屈折力レンズ対１の設計データに基づいて、眼鏡レンズ加工機７２を制御する。眼鏡レンズ加工機７２は、加工機制御装置７１の制御により累進屈折力レンズ対１を製造する。
【００５５】
図８は、累進屈折力レンズ対１の設計方法を含む、累進屈折力レンズ対１の製造方法の流れを示すフローチャートである。ステップＳ１００１において、設計装置５０は、入力部５１を介して装用者の処方値を取得する。ステップＳ１００１が終了したら、ステップＳ１００３に進む。
【００５６】
ステップＳ１００３において、判定部６１は、右眼用レンズ１０Ｒの処方加入度と左眼用レンズ１０Ｌとの処方加入度とが等しいか否かを判定する。判定部６１は、右眼用レンズ１０Ｒの処方加入度と左眼用レンズ１０Ｌとの処方加入度とが等しい場合、ステップＳ１００３を肯定判定してステップＳ１００５に進み、異なる場合はステップＳ１００３を否定判定してステップＳ１００７に進む。
【００５７】
ステップＳ１００５において、判定部６１は、右眼用レンズ１０Ｒと左眼用レンズ１０Ｌの処方情報から算出されたSVRとSVLとが異なるか、または右眼用レンズ１０Ｒと左眼用レンズ１０Ｌとの処方情報において、球面度数、乱視度数、乱視軸の角度の少なくともいずれかが右眼用レンズ１０Ｒと左眼用レンズ１０Ｌとで異なるか否かを判定する。判定部６１は、右眼用レンズ１０Ｒと左眼用レンズ１０Ｌの処方情報から算出されたSVRとSVLとが異なるか、または右眼用レンズ１０Ｒと左眼用レンズ１０Ｌとの処方情報において、球面度数、乱視度数、乱視軸の角度の少なくともいずれかが右眼用レンズ１０Ｒと左眼用レンズ１０Ｌとで異なる場合、ステップＳ１００５を肯定判定してステップＳ１００７に進み、等しい場合はステップＳ１００５を否定判定してステップＳ１００９に進む。
【００５８】
ステップＳ１００７において、眼鏡レンズ設計部６２は、右眼用レンズ１０Ｒにおける加入度の配分パラメータ(ADDR1-ADDR2)と左眼用レンズ１０Ｌにおける加入度の配分パラメータ(ADDL1-ADDR2)とを異ならせて各設計パラメータを設定する。ステップＳ１００７が終了したら、ステップＳ１０１１に進む。
【００５９】
ステップＳ１００９において、眼鏡レンズ設計部６２は、右眼用レンズにおける加入度の配分パラメータ(ADDR1-ADDR2)と左眼用レンズにおける加入度の配分パラメータ(ADDL1-ADDR2)とを等しくして各設計パラメータを設定する。ステップＳ１００９が終了したら、ステップＳ１０１１に進む。
【００６０】
ステップＳ１０１１において、眼鏡レンズ設計部６２は、ステップＳ１００７またはステップＳ１００９において設定された設計パラメータに基づいて、累進屈折力レンズ対１を設計する。ステップＳ１０１１が終了したら、ステップＳ１０１３に進む。ステップＳ１０１３において、眼鏡レンズ加工機７２は、眼鏡レンズを製造し、処理を終了する。
【００６１】
本実施形態に係る累進屈折力レンズ対１の設計方法は、累進屈折力レンズ対１のうち、右眼用レンズ１０Ｒの処方加入度と左眼用レンズ１０Ｌの処方加入度とが等しく、かつ、累進屈折力レンズ対１の処方情報において、右眼用レンズ１０Ｒの光学中心における上下方向の度数SVRと左眼用レンズ１０Ｌの光学中心における上下方向の度数SVLとが異なるか、または、累進屈折力レンズ対１の処方情報において、右眼用レンズ１０Ｒの球面度数SRと左眼用レンズ１０Ｌの球面度数SLとが異なるか、右眼用レンズ１０Ｒの乱視度数CRと左眼用レンズ１０Ｌの乱視度数CLとが異なるか、または、右眼用レンズ１０Ｒの乱視軸の角度と左眼用レンズ１０Ｌの乱視軸の角度とが異なる場合、右眼用レンズ１０Ｒにおける物体側面の面加入度をADDR1、眼球側面の面加入度をADDR2とし、左眼用レンズ１０Ｌにおける物体側面の面加入度をADDL1、眼球側面の面加入度をADDL2としたとき、ADDR1−ADDR2とADDL1−ADDL2とを異ならせるように設計パラメータを設定する。これにより、両眼の処方球面度数、処方乱視度数、処方された乱視軸の角度、または処方された上下方向の度数等の違いから生じる左右のレンズの光学特性の差異、特に偏角量の左右のズレを良好に補正することができる。
【００６２】
次のような変形も本発明の範囲内であり、上述の実施形態と組み合わせることが可能である。
（変形例１）
上述の実施形態においては、右眼用レンズ１０Ｒと左眼用レンズ１０Ｌとで加入度の配分パラメータを異ならせる構成とした。さらに、遠用部Ｆのベースカーブを左眼用レンズと右眼用レンズとで異ならせる構成としてもよい。
【００６３】
累進屈折力レンズ対１において、右眼用レンズ１０Ｒにおける物体側面の遠用ベースカーブをBCRfとし、左眼用レンズ１０Ｌにおける物体側面の遠用ベースカーブをBCLfとし、右眼用レンズ１０Ｒの球面度数SRと左眼用レンズ１０Ｌの球面度数SLとが異なるか、または、右眼用レンズ１０Ｒの等価球面度数SR + CR / 2と左眼用レンズ１０Ｌの等価球面度数SL + CL / 2とが異なる場合、BCRfとBCLfとを異ならせたものとすることができる。これにより、両眼の処方値等の違いから生じる左右のレンズの光学特性の差異、特に偏角量の左右のズレをより広い範囲で良好に補正することができる。
【００６４】
（変形例２）
累進屈折力レンズ対１の設計方法において、装用者が、右眼用レンズの加入度の配分パラメータADDR1−ADDR2の値と左眼用レンズの加入度の配分パラメータADDL1−ADDL2の値とが等しい基準累進屈折力レンズ対を装用して検出した視線情報に基づいて、(ADDR1−ADDR2)−(ADDL1−ADDL2)の値を設定することもできる。これにより、左眼用レンズ１０Ｌと右眼用レンズ１０Ｒとにおけるそれぞれの加入度の配分を変える前の視線情報に基づいて、左右のレンズの光学特性の差異、特に偏角量の左右のズレを良好に補正することができる。
【００６５】
上述の視線情報の検出では、例えば国際公開２０１４／０４６２０６号に記載された視線検出装置等を用いて、被検者の視線を検出し、累進屈折力レンズ１０上における視線の透過点情報を検出することができる。最初に被検者は、右眼用レンズの加入度の配分パラメータADDR1−ADDR2の値と左眼用レンズの加入度の配分パラメータADDL1−ADDL2の値とが等しい基準累進屈折力レンズ対を装用する。被検者は、基準累進屈折力レンズ対を装用した状態で視線検出装置を使い、少なくとも１つ以上の複数の点を注視したときに、左右眼それぞれの視線の基準累進屈折力レンズ対上における透過点の位置を検出し記録する。設計装置５０は、検出して得られた注視点情報と透過点情報とを解析し、解析結果に基づいて累進屈折力レンズ対１を設計する。設計装置１は、例えば、少なくとも１つ以上の複数の注視点に対し、左右累進屈折力レンズ上における視線の透過点の上下方向位置の差が基準累進屈折力レンズ対よりも小さくなるように、累進屈折力レンズ対１を設計する。
【００６６】
（変形例３）
累進屈折力レンズ対１の設計方法において、装用者が、右眼用レンズの加入度の配分パラメータADDR1−ADDR2の値と左眼用レンズの加入度の配分パラメータADDL1−ADDL2の値とが等しい基準累進屈折力レンズ対を装用して検出した、当該右眼用レンズと当該左眼用レンズとの近用参照点ＮＶにおける物体の見える位置のずれに基づいて、累進屈折力レンズ対１の右眼用レンズ１０Ｒと左眼用レンズ１０Ｌのそれぞれにおける加入度の配分パラメータの差(ADDR1−ADDR2)−(ADDL1−ADDL2)の値を設定してもよい。これにより、左眼用レンズ１０Ｌと右眼用レンズ１０Ｒとにおけるそれぞれの加入度の配分を変えない場合の視線のズレ量に基づいて、左右のレンズの光学特性の差異、特に偏角量の左右のズレを良好に補正することができる。
【００６７】
上述の近用参照点ＮＶにおける物体の見える位置のずれの検出には、左右眼に別々の画像を見せることが可能な装置を用いることができる。
【００６８】
図９（ａ）は、左右眼にそれぞれ見せる左眼用画像４０Ｌと右眼用画像４０Ｒとを例示した図である。左眼用画像４０Ｌと右眼用画像４０Ｒには、Ｙ軸方向、つまり累進屈折力レンズ対の上下方向に３本の線分が配置されている。図９の横方向は、左眼と右眼とを結ぶ方向である。左眼用画像４０Ｌと右眼用画像４０Ｒの上記線分は画面上では同じ上下方向の高さに表示される。被検者は基準累進屈折力レンズ対を備えた眼鏡を装用し、左眼用画像４０Ｌと右眼用画像４０Ｒとを両眼視する。両眼視の際に生じる左右眼それぞれに対する線分の上下方向のズレ量が測定される。
【００６９】
図９（ｂ）は、視線の上下方向のズレ量４１を説明するための模式図である。両側のレンズで、同一の注視点に対し左眼用画像４０Ｌおよび右眼用画像４０Ｒの位置で視線の通過点に差があると、左眼用画像４０Ｌまたは右眼用画像４０Ｒをずらしていったときに両眼視で線分が一致するズレ量４１が測定される。設計装置５０は、ズレ量の測定値に基づいて、累進屈折力レンズ対１を設計する。設計装置５０は、左眼用画像４０Ｌと右眼用画像４０Ｒを両眼視したときの線分の上下方向のズレ量が基準累進屈折力レンズ対よりも抑えられるように累進屈折力レンズ対１を設計する。
【００７０】
（実施例１）
表１の処方値に対し、表２のように物体側面の面加入度、眼球側面の面加入度、物体側面の遠用ベースカーブとを設定した。
【００７１】
【表１】
2018079836.tif 000003
【００７２】
【表２】
2018079836.tif 000004
【００７３】
実施例１の累進屈折力レンズ対１の各数値を以下に示す。
|(ADDR1−ADDR2)−(ADDL1−ADDL2)|＝1であるため、式（１）を満たす。
|(ADDR1−ADDR2)−(ADDL1−ADDL2)| / |SR−SL|＝1であるため、式（２）を満たす。
|(ADDR1−ADDR2)−(ADDL1−ADDL2)| / |(SR + CR / 2)−(SL + CL / 2)|＝0.89であるため、式（３）を満たす。
|(ADDR1−ADDR2)−(ADDL1−ADDL2)| / |SVR−SVL|＝1.18であるため、式（４）を満たす
。
光学中心を通る上下方向の直線とフレームとの交点の座標(x, y)は左右レンズ共に、上端が(0, 12)、下端が(0, -20)である。それぞれの点における１面のサグ量は以下の値であ
る。
右眼上端：SAG1R(0, 12) = 0.277
右眼下端：SAG1R(0, -20) = 1.080
左眼上端：SAG1L(0, 12) = 0.276
左眼下端：SAG1L(0, -20) = 0.999
これらの値から、
|(SAG1R(xtR,ytR)−SAG1R(xbR,ybR))−(SAG1L(xtL,ytL)− SAG1L(xbL,ybL))|＝0.08であるため、式（５）を満たす。
|SAG1R(xbR,ybR))−SAG1L(xbL,ybL)|＝0.081であるため、式（６）を満たす。
角度θR = atan((SAG1R(0, 12)−SAG1R(0, -20)) / (12−(−20))) = -1.44 (deg)
角度θL = atan((SAG1L(0, 12)−SAG1L(0, -20)) / (12−(−20))) = -1.29 (deg)
から、
|θR−θL|＝0.15であるため、式（７）を満たす。
フレーム周上の各点で、
|SAG1R(x,y)−SAG1L(x’,y’)|の値を求めると、最大値は0.17mm、最小値は0.00085mmと
なり、式（８）を満たす。
【００７４】
（比較例１）
比較例１では、上述の表１で示された処方値に対し、以下の表３の物体側面の加入度、眼球側面の加入度、物体側面の遠用ベースカーブを設定した。
【００７５】
【表３】
2018079836.tif 000005
【００７６】
光軸より下方のレンズ主経線上における、左右累進屈折力レンズ対の上下方向の偏角量を比較例１、実施例１の場合のそれぞれに対して求めるとそれぞれ以下の表４、表５に示された値となる。回旋角は上下方向下方を正の方向としている。実施例１と比較例１との偏角量の改善度（％）を次式（１０）に基づいて算出し、表６に示した。
100×(比較例１での左右レンズ偏角量差−実施例１での左右レンズ偏角量差) / 比較例１での左右レンズ偏角量差・・・（１０）
【００７７】
【表４】
2018079836.tif 000006
【００７８】
【表５】
2018079836.tif 000007
【００７９】
【表６】
2018079836.tif 000008
【００８０】
（実施例２）
表７の処方値に対し、表８のように物体側面の面加入度、眼球側面の面加入度、物体側面の遠用ベースカーブとを設定した。
【００８１】
【表７】
2018079836.tif 000009
【００８２】
【表８】
2018079836.tif 000010
【００８３】
実施例２の累進屈折力レンズ対１の各数値を以下に示す。
|(ADDR1−ADDR2)−(ADDL1−ADDL2)|＝1であるため、式（１）を満たす。
|(ADDR1−ADDR2)−(ADDL1−ADDL2)| / |SR−SL|＝1であるため、式（２）を満たす。
|(ADDR1−ADDR2)−(ADDL1−ADDL2)| / |(SR + CR / 2)−(SL + CL / 2)|＝0.89であるた
め、式（３）を満たす。
|(ADDR1−ADDR2)−(ADDL1−ADDL2)| / |SVR−SVL|＝1.18であるため、式（４）を満たす。
光学中心を通る鉛直方向の直線とフレームとの交点の座標(x, y)は左右レンズ共に、上端が(0, 12)、下端が(0, -20)である。それぞれの点における１面のサグ量は以下の値である。
右眼上端：SAG1R(0, 12) = 0.481
右眼下端：SAG1R(0, -20) = 1.652
左眼上端：SAG1L(0, 12) = 0.276
左眼下端：SAG1L(0, -20) = 0.999
これらの値から、
|(SAG1R(xtR,ytR)−SAG1R(xbR,ybR))−(SAG1L(xtL,ytL)− SAG1L(xbL,ybL))|＝0.448であるため、式（５）を満たす。
|SAG1R(xbR,ybR))−SAG1L(xbL,ybL)|＝0.653であるため、式（６）を満たす。
角度θR = atan((SAG1R(0, 12)−SAG1R(0, -20)) / (12−(−20))) = -2.10 (deg)
角度θL = atan((SAG1L(0, 12)−SAG1L(0, -20)) / (12−(−20))) = -1.29 (deg)
から、
|θR−θL|＝0.81であるため、式（７）を満たす。
フレーム周上の各点で、
|SAG1R(x,y)−SAG1L(x’,y’)|の値を求めると、最大値は1.915mm、最小値は0.178mmとなり、式（８）を満たす。  
【００８４】
（比較例２）
比較例２では、上述の表７で示された処方値に対し、上記の表３の物体側面の加入度、眼球側面の加入度、物体側面の遠用ベースカーブを設定した。
【００８５】
光軸より下方のレンズ主経線上における、左右累進屈折力レンズ対の上下方向の偏角量を比較例２、実施例２の場合のそれぞれに対して求めるとそれぞれ以下の表９、表１０に示された値となる。回旋角は上下方向下方を正の方向としている。実施例１と比較例２との偏角量の改善度（％）を次式（１１）に基づいて算出し、表１１に示した。
100×(比較例２での左右レンズ偏角量差−実施例２での左右レンズ偏角量差) / 比較例２での左右レンズ偏角量差・・・（１１）
【００８６】
【表９】
2018079836.tif 000011
【００８７】
【表１０】
2018079836.tif 000012
【００８８】
【表１１】
2018079836.tif 000013
【００８９】
本発明は上記実施形態の内容に限定されるものではない。本発明の技術的思想の範囲内で考えられるその他の態様も本発明の範囲内に含まれる。
【００９０】
次の優先権基礎出願の開示内容は引用文としてここに組み込まれる。
日本国特許出願２０１６年第２１３６２９号（２０１６年１０月３１日出願）
【符号の説明】
【００９１】
１…累進屈折力レンズ対、１０…累進屈折力レンズ、１０Ｌ…左眼用レンズ、１０Ｒ…右眼用レンズ、１１…光学中心、５０…設計装置、６０…制御部、ＤＬ，ＤＲ…外径、θinsR…インセット角、SAG1R,SAG1L…サグ量。
【図１】
2018079836.tif 000014
【図２】
2018079836.tif 000015
【図３】
2018079836.tif 000016
【図４】
2018079836.tif 000017
【図５】
2018079836.tif 000018
【図６】
2018079836.tif 000019
【図７】
2018079836.tif 000020
【図８】
2018079836.tif 000021
【図９】
2018079836.tif 000022
【国際調査報告】
2018079836.tif 000023
2018079836.tif 000024
2018079836.tif 000025